(57)【要約】【課題】用紙を加熱ローラ側に押付ける加圧ローラの表面に付着した汚れをコンパクトな清掃部材で簡単に取除くことができるようにした定着装置を提供する。【解決手段】加熱ローラに印刷用紙を押付け、かつ、加熱ローラから離れる方向にリトラクトする加圧ローラと、その加圧ローラを保持するプレートに固定されたホルダを有し、そのホルダには印刷用紙が走行する方向に回転可能なカール矯正ローラが取付けられており、そのカール矯正ローラを清掃するための部材が前記カール矯正ローラの軸上に取付けられていることを特徴とする。【選択図】  図１
2010168177.tif 000002
【特許請求の範囲】
【請求項１】
加熱ローラに印刷用紙を押付け、かつ、加熱ローラから離れる方向にリトラクトする加圧ローラと、その加圧ローラを保持するプレートに固定されたホルダを有し、そのホルダには印刷用紙が走行する方向に回転可能なカール矯正ローラが取付けられており、そのカール矯正ローラを清掃するための部材が前記カール矯正ローラの軸上に取付けられていることを特徴とする定着装置。
【請求項２】
前記清掃部材は前記カール矯正ローラの長手方向に移動する構造となっていることを特徴とする請求項１記載の定着装置。
【請求項３】
前記清掃部材と前記カール矯正ローラは所定の公差で嵌合していることを特徴とする請求項１または２記載の定着装置。
【請求項４】
前記清掃部材は前記カール矯正ローラから取外すことが可能であることを特徴とする請求項１ないし３のいずれか１項に記載の定着装置。
【請求項５】
前記清掃部材と前記カール矯正ローラの材質が同じ材質であることを特徴とする請求項１ないし４のいずれか１項に記載の定着装置。
【請求項６】
請求項１ないし５のいずれか１項に記載の定着装置を備えたことを特徴とする連続紙印刷装置。
【発明の詳細な説明】
【技術分野】
【０００１】
本発明は、特にレーザープリンタ等の電子写真装置における定着装置に関するものである。
【背景技術】
【０００２】
図２〜４に従来の熱定着方式連続印刷装置における定着部の用紙カール矯正装置の一例を示す。
【０００３】
定着部１の加熱ローラ２は、図示しない駆動部により所定の方向に回転しており、加圧ローラ３はＢＲホルダ４にはめ込まれネジ５によりＢＲプレート６に固定されている。ＢＲホルダ４の軸心７が図示しない押付け機構により矢印Ａ方向に押付けられると、ＢＲプレート６は回転中心８を軸として加熱ローラ２に押付けられる。加圧ローラ３が加熱ローラ２側に押し込まれることにより、用紙９が加熱ローラ２と加圧ローラ３に挟持され、加熱ローラ２の回転により回転ローラ１０と従動ローラ１１に送り込まれ、スタッカ部１２に排出される。
【０００４】
非印刷時には図３に示す通りＢＲホルダ４の軸心７は図示しない駆動部により矢印Ｂ方向に力が加えられ、回転中心８を軸としてＢＲプレート６は加熱ローラ２から離れる方向に移動する。このため、ＢＲプレート６に間接的に取付けられた加圧ローラ３が加熱ローラ２から離れ、用紙９の焦げ付きや黄変を防ぐことができる。ＢＲプレート６にはカール矯正ローラ１３が取付けられており、ＢＲプレート６と一緒に動く構造になっている。
【０００５】
図４に用紙カール矯正機構の取付け概略図を示す。ＢＲプレート６には、任意の位置に位置決めされたホルダ１５がネジ１６により固定されている。ホルダ１５にはベアリング１７が取付けられており、ネジ１８によりホルダ１５に固定されている。カール矯正ローラ１３はベアリング１７にて両端を保持されており、用紙の走行に合わせて連れ回りする構造となっている。
【０００６】
カール矯正ローラ１３は加圧ローラ３と連動して動くことにより、用紙９を加熱ローラ２側へ押し当てる働きがある。このため印刷動作中はカール矯正ローラ１３と用紙９は常に接触した状態であり、カール矯正ローラ表面の汚れが用紙９に移る恐れがある。
【０００７】
通常の印刷ではカール矯正ローラ表面は用紙印刷面の裏面側となるため、直接印刷品質への影響はない。しかし、図５に示すような連続紙印刷装置を２台並べた状態で用紙の両面に印刷を行う場合は、第１印刷装置２０にて印刷された印刷用紙２３が用紙反転装置２１を通り第２印刷装置２２に入ると、第１印刷装置２０の印刷面が第２印刷装置２２のカール矯正ローラ表面側となり、カール矯正ローラ表面が汚れることにより印刷面を汚し、印刷に影響を及ぼす場合がある。
【０００８】
また図２に示すように、用紙カール矯正ローラ１３は加熱ローラ２に近いことから、加熱ローラ２の熱や加熱ローラ２により搬送されてくる用紙９の熱により温度が上昇している。このため、第１印刷装置２０の印刷面に定着されたトナーの一部がカール矯正ローラ表面に付着しやすくなる、或いは、装置内を漂う微量のトナーや紙粉がカール矯正ローラ表面に付着し、汚れが拡大する恐れがある。カール矯正ローラ表面の汚れを取るために清掃部材を本体に取付けると、本体側に清掃部材取付けのスペースが必要となる。また、カール矯正ローラの印刷用紙接触面全体を清掃しようとすると、カール矯正ローラの長さとほぼ同じ長さのスペースが必要となる。また、清掃部材自体の汚れや耐熱部材の選定、熱膨張に対する寸法の変化も視野にいれなければいけなくなる。
【先行技術文献】
【特許文献】
【０００９】
【特許文献１】特開２００６−１４３４００号公報
【発明の概要】
【発明が解決しようとする課題】
【００１０】
本発明の目的は、用紙を加熱ローラ側に押付けるローラの表面に付着した汚れをコンパクトな清掃部材で簡単に取除くことができるようにすることである。また、清掃部材自体の清掃性や熱膨張に対応した定着装置及びそれを備えた連続紙印刷装置を提供することである。
【課題を解決するための手段】
【００１１】
上記課題を解決するために、本発明の第１の手段は、加熱ローラに印刷用紙を押付け、かつ、加熱ローラから離れる方向にリトラクトする加圧ローラと、その加圧ローラを保持するプレートに固定されたホルダを有し、そのホルダには印刷用紙が走行する方向に回転可能なカール矯正ローラが取付けられており、そのカール矯正ローラを清掃するための部材が前記カール矯正ローラの軸上に取付けられていることを特徴とするものである。
【００１２】
本発明の第２の手段は前記第１の手段において、前記清掃部材は前記カール矯正ローラの長手方向に移動する構造となっていることを特徴とするものである。
【００１３】
本発明の第３の手段は前記第１または第２の手段において、前記清掃部材と前記カール矯正ローラは所定の公差で嵌合していることを特徴とするものである。
【００１４】
本発明の第４の手段は前記第１ないし第３の手段において、前記清掃部材は前記カール矯正ローラから取外すことが可能であることを特徴とするものである。
【００１５】
本発明の第５の手段は前記第１ないし第４の手段において、前記清掃部材と前記カール矯正ローラの材質が同じ材質であることを特徴とするものである。
【００１６】
本発明の第６の手段は連続紙印刷装置において、第１ないし第５の定着装置を備えたことを特徴とするものである。
【発明の効果】
【００１７】
請求項１記載の発明によれば、清掃部材を用紙を加熱ローラ側に押付けるローラ上に取付けることにより、清掃部材の小型化が可能になり、ローラ表面の汚れを効率良く取除くことができる。
【００１８】
請求項２記載の発明によれば、清掃部材を用紙を加熱ローラ側に押付けるローラの長手方向に動かせる構造としているため、ローラが印刷用紙と接触する全域を清掃することができる。
【００１９】
請求項３記載の発明によれば、清掃部材と用紙を加熱ローラ側に押付けるローラが任意の公差で嵌合しているため、清掃部材がローラ上をスムーズに移動し、かつ、ローラ表面の汚れを取除くことができる。
【００２０】
請求項４記載の発明によれば、清掃部材が用紙を加熱ローラ側に押付けるローラから外れることにより、清掃部材自体を清掃しやすくする、または、場合により新品と交換することが容易である。
【００２１】
請求項５記載の発明によれば、用紙を加熱ローラ側に押付けるローラと清掃部材の材質を同一材質にすることにより、熱膨張による嵌合部分の隙間が大きくなることで清掃性が悪くなることを防ぐ、または、逆に隙間が狭くなることにより動きが渋くなることを防止することができる。
【図面の簡単な説明】
【００２２】
【図１】本発明の実施例に係る定着部におけるカール矯正ローラに清掃部材を取付けた構成の一例を示す図である。
【図２】従来の熱定着方式連続印刷装置における定着部の用紙カール矯正機構の一例を示す図である。
【図３】その定着部の非印刷時の状態を示す図である。
【図４】その用紙カール矯正機構の取付け状態を示す図である。
【図５】印刷装置を２台並べ両面印刷を行なう連続紙印刷装置の概略構成図である。
【図６】ブラシがカール矯正ローラに接した状態を示す図である。
【図７】カール矯正ローラ上にトナー塊が生じた状態を示す図である。
【発明を実施するための形態】
【００２３】
図１に定着部におけるカール矯正ローラに清掃部材を取付けた構成の一例を示す。
【００２４】
カール矯正ローラ３０は長手方向の両端をベアリング３１に保持され、ベアリング３１はホルダ３２にネジ３３により固定されている。ホルダ３２はネジ３４にてＢＲプレート３５に取付けられている。カール矯正ローラ３０の直径は任意の公差で仕上げられており、直径公差に隙間ばめとなる公差で清掃部材３６がカール矯正ローラ３０にはめ込まれている。清掃部材３６は最大幅である印刷用紙３７の外側に配置されており、印刷中は固定プレート３８にてカール矯正ローラ３０の長手方向に動かないような構造となっている。固定プレート３８はＢＲプレート３５にネジ３９で固定されており、ネジ３９を外し固定プレート３８を外すことにより、清掃部材３６がカール矯正ローラ３０の長手方向へ動かせる構造となっている。
【００２５】
通常、カール矯正ローラ３０は印刷用紙３７の印刷裏面側と接触しており、カール矯正ローラ３０の表面が汚れる可能性は低い。紙紛などによりカール矯正ローラ３０の表面が汚れる場合でも、図６に示すように常にブラシ４０がカール矯正ローラ３０に接するよう配置することにより、紙紛等の除去ができる。しかし、図５に示すように印刷装置を２台並べ両面印刷を行なう場合、第１印刷装置２０で印刷された用紙２３は、用紙反転装置２１により用紙２３の表裏が逆になり、第２印刷装置２２に送り込まれる。すると、第２印刷装置２２において、カール矯正ローラに接する面が印刷面となり、第１印刷装置２０で印刷用紙２３に付着したトナーが、第２印刷装置２２の定着部２４で再び加熱されることにより、カール矯正ローラの表面にトナーが付着しやすくなる。
【００２６】
このため図７に示すようにカール矯正ローラ３０上にトナー塊５０ができてしまう可能性があり、このような場合にはブラシ４０による除去が不可能となる。そこで清掃部材３６をカール矯正ローラ３０の長手方向に動かすことにより、カール矯正ローラ３０に付着したトナー塊５０も取除くことができる。また、カール矯正ローラ３０と清掃部材３６の材質を同材質としておくことにより、熱膨張によるローラ径の変化にも対応できる。さらに、図１のネジ３３、ベアリング３１を取外し、カール矯正ローラ３０を取外すことにより、清掃部材３６を取外すことができる。これにより清掃部材３６の清掃、場合によっては交換も可能である。
【符号の説明】
【００２７】
１，２４は定着部、２は加熱ローラ、３は加圧ローラ、４はＢＲホルダ、５，１６，１８，３３，３４，３９はネジ、６，３５はＢＲプレート、７は軸心、８は回転中心、９は用紙、１０は回転ローラ、１１は従動ローラ、１２はスタッカ部、１３，３０はカール矯正ローラ、１５，３２はホルダ、１７，３１はベアリング、２０は第１印刷装置、２１は用紙反転装置、２２は第２印刷装置、２３，３７は印刷用紙、３６は清掃部材、３８は固定プレート、４０はブラシ、５０はトナー塊である。
【図１】
2010168177.tif 000003
【図２】
2010168177.tif 000004
【図３】
2010168177.tif 000005
【図４】
2010168177.tif 000006
【図５】
2010168177.tif 000007
【図６】
2010168177.tif 000008
【図７】
2010168177.tif 000009